(57)【要約】【課題】壁面等の垂直面に設置する植物栽培用土壌は風雨により流されやすいため培養土を安定的に固定する必要がある。また、培養土表面の上方に位置する栽培容器の底部が植物への日照を遮ることと、植物の生育空間を狭くすることが問題である。【解決手段】断面形状は上面が開口している逆三角形であり、開口部の投影面は長方形である植物栽培容器であって、二つの底板部材と両側面を塞ぐ二つの側板部材から構成される植物栽培容器で、水平面に対する傾斜角度が２０°〜７０°の底板とそれにほぼ直交する底板によって構成される空間に矩形の成形培養土を設置して形成した植物栽培床を、垂直面に懸架する。【選択図】図１
2014236711.tif 000002
【特許請求の範囲】
【請求項１】
垂直面に沿って設置される植物栽培容器であって、断面形状は上面が開口している逆三角形であり、開口部の投影面は長方形である、２つの底板部材と２つの側板部材の４面から構成され、垂直面側の底板部材（Ａ）は水平面に対し傾斜角度が２０°〜７０°であり、もう一方の底板部材（Ｂ）は植物栽培容器の最下部で底板部材（Ａ）にほぼ直交しているとともに、底板部材（Ａ）および/あるいは側面部材に垂直面懸架用部材を備えていることを特徴とする植物栽培容器。
【請求項２】
前記底板部材（Ａ）および／あるいは底板部材（Ｂ）の内側に突起部材を設けたことを特徴とする請求項１記載の植物栽培容器。
【請求項３】
前記植物栽培容器の最下部より高い位置に排水孔を設けたことを特徴とする請求項１あるいは２記載の植物栽培容器。
【請求項４】
前記底板部材（Ａ）および底板部材（Ｂ）が作る逆三角形状の空間に断面形状が矩形の成形培養土を設置したことを特徴とする植物栽培床。
【請求項５】
前記植物栽培床を垂直面上で垂直（高さ）方向に複数個設置し、植栽することを特徴とする垂直面植栽方法。
【発明の詳細な説明】
【技術分野】
【０００１】
本発明は、建築物の壁面等の垂直面に設置することによって垂直面に緑化等植栽する植物栽培容器、植物栽培床および垂直面植栽方法に関する。
【背景技術】
【０００２】
近年、都市緑化や農業において、狭隘な土地を有効利用し、景観や温熱環境を改善するとともに土地有効利用を図る効果がある壁面緑化や垂直菜園を普及することが望まれている。
【０００３】
垂直面植栽や垂直菜園において、垂直方向に複数段の植物栽培容器を懸架した狭い空間に植物を植栽することになる。このような特殊条件下で植栽せざるをえない垂直面植栽において植物を旺盛に生育させるには、三つの条件、つまり、十分な量の良質培養土を垂直面に安定的に固定すること、植物が十分な光をうけられることおよび十分な生育空間があることが必要である。
【０００４】
しかし、壁面等の垂直面に植栽するばあい、土壌が風雨により流亡しないように垂直面に安定的に固定することは困難で、特に、植物栽培容器に自然土壌のような粉粒状の培養土を使用するばあい、風雨による培養土の流亡を防ぐため、植物栽培容器の最も低い位置にある縁面より高くに盛り上げることは避けられていた。このため、容器内に多量に培養土を充填するためには、断面がほぼ矩形で水平の底板と左右前後ほぼ同じ高さの縁面を持つ容器を用いざるを得なかった。
【０００５】
このような植物栽培容器を用いた場合、上下の植物栽培容器の間からくる光だけが植物に当たるため、植物に十分な光が当たらなかった。
【０００６】
また、植栽された植物の生育空間が上下の植物栽培容器の間に限られるため、植物の伸長空間を大きくするには、植物栽培容器の垂直方向の設置間隔を拡げなければならなかった。
【０００７】
垂直面に設けられた穴等に代替土壌としてのマットやフェルトを充填したポット等を固定し、そこに植栽する方法は、それら素材が風雨により流亡しないため培養度表面を垂直面に対し平行にすることができ、植物は最大量の光を受けることになり植物生育に好ましい。しかし、それらマット状の培養土代替物はココヤシダスト、ピートモスあるいは土壌等と比較すると、水や肥料を維持できる力である保水性や保肥性が悪いため、通常の培養土に植えられた植物に比較して生育状態が悪い、あるいは頻繁に多地点に潅水しなければならないという問題があった。
【０００８】
下記特許文献１に係る植物栽培容器に培養土を充填するばあい、風雨による培養土の流亡を防ぐため、容器の縁より高くに盛り上げることできなかった。
【０００９】
下記特許文献２に係るマットを培養土の代替として用いることにより流亡しないため、壁面に平行してマット面を形成できることから、そこに植栽した植物は最大量の光を受けることになり植物生育に好ましい。しかし、それら培養土代替物はココヤシダスト、ピートモスあるいは土壌等と比較すると、水や肥料を維持できる力である保水性や保肥性が悪いため、通常のこれら培養土に植えられた植物に比較して生育状態が悪い、あるいは頻繁に多地点に潅水しなければならないという問題があった。
【００１０】
下記特許文献３に係るフラワースタンドを用いることにより、植物栽培容器を水平面に対し傾けた状態で戴置することができる。しかし、特許文献３はフラワースタンドであるため、植物栽培容器を壁面等の垂直面に複数段重ねて懸架する構造になっていない。さらに、フラワースタンド下部は、ほぼ水平な地面に設置できるようにほぼ水平な設置用部材で構成されている。このため、垂直面に複数個を積み重ねると、植栽された植物は上方のフラワースタンドの設置用部材に遮られるので、十分な生育空間や光が通る空間を確保することはできなかった。これら理由により、植物栽培容器と組み合わせて使用したとしても、垂直面植栽部材として適していないという問題があった。
【先行技術文献】
【特許文献】
【００１１】
【特許文献１】特開２００９―５５７９４
【００１２】
【特許文献２】特開２００４―２８３０７０
【００１３】
【特許文献３】実用新案登録  第３０１７０４３号
【発明の概要】
【発明が解決しようとする課題】
【００１４】
植物栽培容器の縁より高い位置に設置される培養土が風雨により流亡しないようにして垂直面に培養土を安定的に固定するとともに、上方の植物栽培容器と下方の培養土表面との間に形成される空間を拡げて植物への日照を良くし、さらに、植物の生育空間を広くできる植物栽培容器を提供することである。
【課題を解決するための手段】
【００１５】
本発明１は垂直面に沿って設置される植物栽培容器であって、断面形状は上面が開口している逆三角形であり、開口部の投影面は長方形である、２つの底板部材と２つの側板部材の４面から構成され、垂直面側の底板部材（Ａ）は水平面に対し傾斜角度が２０°〜７０°であり、もう一方の底板部材（Ｂ）は植物栽培容器の最下部で底板部材（Ａ）にほぼ直交しているとともに、底板部材（Ａ）および/あるいは側面部材に垂直面懸架用部材を備えていることを特徴とする植物栽培容器である。
【００１６】
本発明２は、前記底板部材（Ａ）および／あるいは底板部材（Ｂ）の内側に突起部材を設けたことを特徴とする請求項１記載の植物栽培容器である。
【００１７】
本発明３は、本発明１あるいは２記載の前記植物栽培容器の最下部より高い位置に排水孔を設けたことを特徴とする請求項１あるいは２記載の植物栽培容器である。
【００１８】
本発明４は、前記底板部材（Ａ）および底板部材（Ｂ）が作る逆三角形状の空間に断面形状が矩形の成形培養土を設置したことを特徴とする植物栽培床である。
【００１９】
本発明５は、前記植物栽培床を垂直面上で垂直（高さ）方向に複数個設置し、植栽することを特徴とする垂直面植栽方法である。
【発明の効果】
【００２０】
本発明によれば、植物栽培容器に断面がほぼ矩形の成形培養土を設置することにより、植物栽培容器の縁面を超えて成形培養土が設置されたとしても、培養土は安定的に固定されるとともに、自動的に成形培養土表面の傾斜角度が、水平面に対し２０°〜７０°となる。
【００２１】
本発明で用いる矩形の成形培養土は土壌に各種土壌改良材、堆肥あるいは肥料を混合した優良な培養土を断面形状がほぼ矩形となるよう耐久性がある布状素材で被覆したものである。このため、成形培養土は植物栽培容器の縁面の上方に設置されても風雨により流亡しない。また、優良な土壌を使用することができるため植物の生育は良好である。
【００２２】
また、植物栽培容器の底板部材あるいは側面部材に備えられた垂直面懸架用部材により容易に垂直面に懸架できる。
【００２３】
なお、本発明の垂直面は、建築物のほぼ垂直な壁面、フェンス、塀、間仕切り、急峻な斜面、ほぼ垂直に立っている棚等のほぼ垂直な面を指している。
【００２４】
本発明２によれば、植物栽培容器に設ける突起部材と矩形の成形培養土との間に生じる隙間を通して水が自由に浸透し移動するため、植物栽培容器の任意の点に潅水した水を、容器下部全面に均一に行き渡らせることができる。また、突起部材によって生じる植物栽培容器底板と成形培養土との隙間に貯水することができる。
【００２５】
本発明３によれば、植物栽培容器に設けられた排水孔からオーバーフローした水が、排水管につなげた塩ビチューブ等を通して、順次下方の容器に誘導される。さらに、植物栽培容器の下部に貯えた水を矩形の成形培養土の下部の切り込み部から吸水し毛細管力を使って成形培養土内に均一に分配することができる。
【００２６】
本発明４によれば、植物栽培床に植え付けられた植物は、その上方に設置している植物栽培容器の底板が、植物の上方伸長を妨げない傾斜角度で広がっているので、植物は自由に斜め上方に伸びることができるとともに多くの光を受けることができる。一方、従来の植物栽培床に植え付けられた植物は、その上方に設置している植物栽培容器の底板に遮られるので、自由に上方に伸びることはできない、また、植物が受ける光は少ない。なお、本発明での植物栽培床とは、植物栽培容器と矩形の成形培養土との組み合わせにより形成させた植物育成用の植物栽培用基盤である。
【００２７】
また、本発明４によれば、植物栽培床に植え付けられた植物に当たる光は、植栽された植物全体に当たるので、植物は多くの光を受けることができる。一方、従来の植物栽培床に植え付けられた植物に当たる光は、その上方に設置している植物栽培容器の底板に遮られるので、植物は、上下の植物栽培容器の間を通過する光を受けるだけである。
【００２８】
本発明５によれば、上述の特徴をもつ植物栽培床を垂直面上で垂直（高さ）方向に複数個容易に設置し、垂直面を緑化できる。
【図面の簡単な説明】
【００２９】
【図１】図１は植物栽培容器に、矩形の成形培養土を設置した概念断面図である。
【図２】図２は従来の植物栽培容器に、培養土を設置した概念断面図である。
【図３】図３は植物栽培容器の概略斜視図である。
【図４】図４は植物栽培容器の概略平面図である。
【図５】図５は植物栽培容器に、矩形の成形培養土を設置した植物栽培床の概略断面図である。
【図６】図６は植物栽培容器の概略側面図である。
【図７】図７は植物栽培容器の概略断面図である。
【図８】図８は矩形の成形培養土の斜視図である。
【図９】図９は植物栽培容器の垂直面への懸架例の断面図である。
【発明を実施するための形態】
【００３０】
以下本発明の植物栽培容器、植物栽培床および垂直面植栽方法の実施形態について、図面に従って説明する。
【００３１】
図１は本発明の植物栽培容器１を垂直面５に垂直方向に重ねて設置し、植栽したときの概念図である。図２は図１の植物栽培容器１と同量の培養土を充填した従来の植物栽培容器２用いて、図１と同一の間隔で植物栽培容器２を垂直方向に重ねて設置した時の概念図である。これらの図からわかるように本発明の植物栽培容器１を用いて植栽された場合の植物の生育空間１７は大きい。
【００３２】
実施例での植物栽培容器１は、図３の概略斜視図が示すように、断面形状が逆三角形であり上面が開口しており、開口部の投影面は図４に示すように長方形である。植物栽培容器１は垂直面側に設置される底板部材（Ａ）６と、それにほぼ直交する底板部材（Ｂ）７および両側面を塞ぐ二つの側面部材８との４面で構成されている。底板部材（Ａ）６の傾斜角度が水平面に対し２０°未満の場合は底板部材（Ａ）６に傾斜をつけても植物の生育空間の拡大や受光量増加の効果は期待できない。一方７０°以上の場合は、矩形の成形培養土３を植物栽培容器１に設置するだけでは本もした植物の荷重あるいは風雨等の外力により落下する恐れがある。このため、底板部材（Ａ）６の傾斜角度は水平面に対し２０°底板部材（Ａ）６の傾斜角度は水平面に対し２０°〜７０°、好ましくは３０〜６０°より好ましくは４０〜５０°である。
【００３３】
底板部材の大きさは、使用する矩形の成形培養土３の大きさに応じて変わるが、実施例での底板部材（Ａ）６の大きさは奥行き１８ｃｍ、幅５６ｃｍであり、底板部材（Ｂ）７の大きさは奥行き１２ｃｍ、幅５６ｃｍである。両側面は逆三角形状の側面部材８で塞がれている。
【００３４】
図３に示すように植物栽培容器１の内部に壁状突起部材９と排水孔１０が設けられている。また、垂直面側に設置される底板部材（Ａ）６および側面部材８に垂直面懸架用のフック１２が設けられている。本実施例では植物栽培容器１の底板部材（Ａ）６および側面部材８に一体成型した、平鋼１４にかぶせて使うスリット状のフック１２を図示している。
【００３５】
図４は植物栽培容器１の平面図である。一点鎖線で示す植物栽培容器最下部１１で底板部材（Ａ）６と底板部材（Ｂ）７が直交している。実施例では底板部材（Ａ）６の縁部分に壁面懸架用の針金製フックを通す穴１３を一体成型している。
【００３６】
図３およびの図４に示す実施例での植物栽培容器１はポリエチレン製であるが、アルミニウムやステンレス等の金属あるいは他のプラスチックを用いて作ることができる。プラスチックとしてポリエチレン、ポリプロピレン、ＡＢＳあるいは塩ビ等を用いることができる。
【００３７】
その内部に図８に示す矩形の成形培養土３を設置する。実施例での植物栽培床４は図５に示すように植物栽培容器１と矩形の成形培養土３とを組み合わせたものである。
【００３８】
成形培養土の形状がほぼ矩形である理由は、底板部材（Ａ）６と底板部材（Ｂ）７が最下部で直交している植物栽培容器１に矩形の成形培養土３をしっかりと設置できることと、矩形のものを製造しやすいことによる。
【００３９】
矩形の成形培養土３はココヤシダスト、ピートモス、パーライト、バーミキュライト、ゼオライト等の土壌改良材あるいは土壌等と上記の土壌改良材あるいは土壌いずれかの混合物を、断面形状がほぼ矩形となるよう耐久性があるフィルム、布、シート、網あるいは不織布等の布状素材を用いて被覆したものである。このため、矩形の成形培養土３は植物栽培容器の縁面の上方に設置されても風雨により流亡しない。一方、従来の植物栽培容器にあっては縁面の上方にまで土壌を盛ると、風雨による流亡があるため土壌の安定的な固定が困難である。
【００４０】
矩形の成形培養土３の使用時の形状は、たとえば厚さ８〜２０ｃｍ、奥行き１０〜３０ｃｍ、幅４０〜１００ｃｍの枕状である。
【００４１】
成形培養土の主原料としてココヤシダストが好適である。ココヤシダストとは、ココヤシ果皮から、ヤシ繊維を取り除く過程で生じるものである。すなわち、ココヤシの果皮から表皮および長繊維を除いた残部で、軟組織と０．５〜３０ｍｍ程度の短繊維とが混在する材料である。これらは生分解しにくく、肥料や微量要素成分を加えることにより良質な培養土を製造することができる。
【００４２】
実施例での矩形の成形培養土３はココヤシダストに肥料を混合したものであり、重さが通常土壌の１／３以下と軽い。これは本発明による植物栽培容器の下部に貯めた水を毛細管力で植物栽培床内に均一に分布すること、さらに、ココヤシダストの成形物からなる培養土は気相を多く含むこと等の理由で、垂直面への設置が容易でしかも植物の生育が良い。
【００４３】
実施例の図８に示す矩形の成形培養土３は肥料を加えたヤシダストを約５ｃｍ厚、奥行き１５ｃｍ、幅５０ｃｍの板状に圧縮成形し、それを０．６ｍｍの厚手のポリエチレンシートで全周を水密になるように被覆している。この被覆物の一部を切り開き、注水し数十分間放置すると約１２ｃｍ厚、奥行き約１７ｃｍ、幅約５２ｃｍに膨潤する。植栽時に植物に合わせて表面のポリエチレン製被覆材料を部分的に切り開き、そこに播種したり苗を植え付けたりする。
【００４４】
矩形の成形培養土３を被覆する布状素材としてフィルム、布、シート、網あるいは不織布等を用いることができる。
【００４５】
突起部材として円柱状や角柱状のものや壁状のものがある。突起部材がその上方に置かれる矩形の成形培養土３を支えて生じる底板との間にできる隙間に水が貯えられるとともに、隙間を通して水は自由に移動することになる。一方、通常の土壌を用いる場合は、突起部材を設けても突起部材が土壌内にめり込み隙間が生じないため、この効果は期待できない。突起部材の高さやピッチは突起部材の形状および矩形の成形培養土３表面の布状素材の強度、硬さによるが、突起部材の高さは３〜２０ｍｍが好ましく、より好ましくは５〜１０ｍｍが好ましい。ピッチは１〜１５ｃｍであることが好ましく、より好ましくは３〜１０ｃｍであることが好ましい。
【００４６】
植物栽培容器１の構成する底板部材（Ａ）６および底板部材（Ｂ）７はデザイン性を考え曲面状であってもよいが、底板部材に設ける突起部材の高さを調整し、それら先端が平面上に存在するようにし、先端同志の間隔を小さくすれば、矩形の成形培養土３底面と先端部とにかかる荷重を少なくしかも平均化できるので、底板部材（Ａ）６、底板部材（Ｂ）７と矩形の成形培養土３との間の隙間を安定的に確保するうえで好ましい。
【００４７】
図３に示す壁状突起部材９（本実施例では壁状突起部材の高さ５ｍｍ、ピッチ、３〜７ｃｍ）は植物栽培容器１の最下部１１で直交している。潅水した水は壁状突起部材９と矩形の成形培養土３との間に生じる隙間を通して下方に移動する。底部に貯えられた水は壁状突起部材９と壁状突起部材９との間および壁状突起部材９の直交部と図８に示す矩形の成形培養土３の角面の丸み１６との間に生じる隙間を通して自由に移動することができる。
【００４８】
壁状の突起部材を設けるばあい、底板部材（Ａ）６ともう一方の底板部材（Ｂ）７に取り付けられた壁状突起部材９が直交していないばあいは矩形の成形培養土３と底板との間に生じる隙間を通して水は自由に移動する。
【００４９】
底板部材（Ａ）６と底板部材（Ｂ）７の両者に取り付けられた壁状突起部材９が直交しているばあいは、植物栽培容器最下部の直交部分は水の移動を妨げるが直交部分と矩形の成形培養土３の丸みを帯びた角面１６との間に生じる隙間を通して水は自由に移動する。水の移動を確実にするために、たとえば直交部分直上にさらに突起部材を立ち上げ、矩形の成形培養土３の角面１６を高く持ち上げることにより、壁状突起部材９と矩形の成形培養土３との間に生じる隙間を広げるとともに長期間にわたって維持することができる。
【００５０】
壁状突起部材９の高さやピッチは壁状突起部材９の形状および矩形の成形培養土３を被覆する布状素材の強度、硬さによるが、壁状突起部材９の高さは３〜２０ｍｍが好ましく、より好ましくは５〜１０ｍｍが好ましい。ピッチは１〜１５ｃｍであることが好ましく、より好ましくは３〜１０ｃｍであることが好ましい。
【００５１】
図９に示す垂直面懸架用のフック１２はスリット状であり、底板部材（Ａ）６に一体成型されている。図９に懸架例を示した。つまり、垂直面５にスペーサー等を用い一定距離を離して予め水平方向に取り付けた平鋼１４にスリット状フック１２をかぶせて使用する。また、植物栽培容器１は針金製フック用の穴１３も一体成型しており、針金製フックを用いて、垂直面５に懸架することができる。
【００５２】
図３および図６に示す側面部材８に一体成型された垂直面懸架用のフック１２はスリット状であり、植物栽培容器１の両側面部材に取り付けられている。これら２つのフックを、植物栽培容器幅にあわせ垂直面に直角に取り付けられている２枚の平鋼１４にかぶせて植物栽培容器１を懸架する。
【００５３】
図示していないが、底板部材（Ａ）６および/あるいは側面部材８にボルトを通す円形穴状部材を一体成型もしくは穿孔することにより懸架用金具を植物栽培容器１に取り付け容易に垂直面５に懸架できる。
【００５４】
図３、図４および図４のＡ−Ａ‘断面図である図７に示す排水孔１０は植物栽培容器１の底を貫通している。排水孔面の高さ（本実施例では３ｃｍ）以下の部分に貯えられた水は図８に示す矩形の成形培養土２の最下部につけた切り込み１５から成形培養土３内に取り込まれ、成形培養土３内に分配される。
【００５５】
排水孔１０の径は、本実施例では１０ｍｍであり、排水孔からオーバーフローして排水される水は下方の植物栽培容器１へ排水孔１０に接合する塩ビ管を通して誘導される。
【００５６】
植物栽培容器１に設ける排水孔面はその下方に必要量の水を貯水するために、植物栽培容器最下部１１の１〜５ｃｍ上方にあることが好ましい。
【００５７】
排水孔からオーバーフローし排水される水は排水口に接続する塩ビチューブ等を通して順次下方の植物栽培容器１に移動する。したがって、最上部の植物栽培容器１に計算量の水を潅水すると最上部の植物栽培容器１の排水孔を超えた水は、直下段の植物栽培容器１へとオーバーフローし、順次最下段の植物栽培容器１へと移送され最下段の植物栽培容器１の貯水部を満たすことになる。このため、各段毎に潅水ノズルを設置する必要はなく最上段に設置する潅水ノズルからの水によって植物栽培容器全段を潅水できる。
【００５８】
この場合、各段の植物栽培床４が使用する水は植物が消費した水量と培養土露出部分からの蒸発量の合計であり、その分の水が各段で減水する。したがって、各段の植物栽培容器１はその水量を補給すればオーバーフローし始めるため、この方式で潅水すると各段が消費した水量だけを潅水することになる。つまり、本発明を用いる垂直面植栽方式の節水効果は極めて高い。
【００５９】
さらに、最下段からのオーバーフローを検知し、最上段の潅水を中断する潅水制御方式を採ることによって節水効果を高めることができる。
【００６０】
上述のように本発明によれば、垂直面に設置した植物栽培容器は十分な量の良質培養土を安定的に固定するとともに、垂直面に複数個重ねて設置した場合そこに植栽した植物に十分な光を当て、その上、十分な生育空間を与えることができるという効果を奏する。
【産業上の利用可能性】
【００６１】
建築物の壁面等の垂直面に設置することによって垂直面に緑化できる。
【符号の説明】
【００６２】
１  植物栽培容器
２  従来の植物栽培容器
３  矩形の成形培養土
４  植物栽培床
５  垂直面
６  底板部材（Ａ）
７  底板部材（Ｂ）
８  側面部材
９  壁状突起部材
１０  排水孔
１１  植物栽培容器最下部
１２  垂直面懸架用のスリット状フック
１３  針金製フック用の穴
１４  平鋼
１５  切り込み
１６  成形培養土角面の丸み
１７  植物の生育空間
【図１】
2014236711.tif 000003
【図２】
2014236711.tif 000004
【図３】
2014236711.tif 000005
【図４】
2014236711.tif 000006
【図５】
2014236711.tif 000007
【図６】
2014236711.tif 000008
【図７】
2014236711.tif 000009
【図８】
2014236711.tif 000010
【図９】
2014236711.tif 000011